(57)【要約】【課題】本発明は、収納性及び運搬性に優れ、場所を選ばず持ち運んだ場所で使用しやすい状態で被収納物を使用でき、使用後は再び折り畳みコンパクトに保管又は廃却することができ、衛生的に優れ、デザイン性に優れるため贈答容器にも使用できる折り畳みシート及びそれを用いた折り畳み容器を提供することを目的とする。【解決手段】本発明の折り畳みシートは、略方形状に形成された底板部と、前記底板部がｎ分割され形成された第１〜ｎ（但し、ｎは２以上の自然数）底板と、前記第１〜ｎ底板の両端に折り目を介して連設され前記折り目で内側に折り込まれる第１〜ｎ側板と、前記底板部の前後の両端に折り目を介して連設され前記折り目で内側に折り込まれる前底板及び後底板と、前記前底板及び後底板に折り目を介して連設されかつ隣接する前記第１側板又は第ｎ側板と内側に折り込まれて重合固定される前側板及び後側板と、を備えた構成を有している。【選択図】  図１
2004210346.tif 000002
【特許請求の範囲】
【請求項１】
略方形状に形成された底板部と、前記底板部がｎ分割され形成された第１〜ｎ（但し、ｎは２以上の自然数）底板と、前記第１〜ｎ底板の両端に折り目を介して連設され前記折り目で内側に折り込まれる第１〜ｎ側板と、前記底板部の前後の両端に折り目を介して連設され前記折り目で内側に折り込まれる前底板及び後底板と、前記前底板及び後底板に折り目を介して連設されかつ隣接する前記第１側板又は第ｎ側板と内側に折り込まれて重合固定される前側板及び後側板と、を備えた折り畳みシートであって、
ｘ角形状に形成された前記前側板、前記後側板及び前記第１〜ｎ側板を折り込んで重合させて中空のｘ角柱状（但し、ｘは３≦ｘ≦（ｎ＋２）の自然数）に形成され、前記第１〜ｎ底板と前記前底板と前記後底板の両端の辺が折り畳んだ際に当接する前記ｘ角柱状の１側面形状に形成された前記前側板、前記後側板及び前記第１〜ｎ側板の各辺の長さと同じであることを特徴とする折り畳みシート。
【請求項２】
前記第２〜ｎ底板の側板方向の長さが、前記第２底板から前記第ｎ底板にいくに従い、前記第１底板の側板方向の長さより、順次前記第１側板乃至前記第（ｎ−１）側板の厚みの和の２倍だけ長く又は短く形成されており、及び／又は、前記第１〜ｎ底板の奥行き方向の長さが、前記第１底板から前記第ｎ底板にいくに従い、折り込まれる底板の奥行きの長さより、連接する底板の厚みの和だけ長く又は短く形成されていることを特徴とする請求項１に記載の折り畳みシート。
【請求項３】
前記底板部が、前記底板部の上面に固定された１以上の中敷を有していることを特徴とする請求項１又は２に記載の折り畳みシート。
【請求項４】
前記中敷が、前記中敷の前記底板部との固定部からのびた自由端を有し、
前記自由端の長さが、前記ｘ角形状に形成された前記前側板、前記後側板及び前記第１〜ｎ側板の折り目に垂直な方向の長さの２倍以上であることを特徴とする請求項１及至３の内いずれか１項に記載の折り畳みシート。
【請求項５】
中空の前記ｘ角柱状のｘが４〜８であることを特徴とする請求項１乃至４の内いずれか１項に記載の折り畳みシート。
【請求項６】
請求項１及至５のいずれかに記載の折り畳みシートを用いて折った折り畳み容器であって、
前記折り畳みシートを折り込んで中空のｘ角柱状（但し、ｘは３≦ｘ≦（ｎ＋２）の自然数）に形成された折り畳み容器。
【請求項７】
略三角形状に形成された角錐用底板部と、前記角錐用底板部が頂点を中心にｎ分割されて形成された第１〜ｎ（但し、ｎは２以上の自然数）角錐用底板と、前記第１〜ｎ角錐用底板の各底辺に折り目を介して連設され前記折り目で内側に折り込まれる第１〜ｎ角錐用側板と、前記角錐用底板部の側辺の両端に折り目を介して連設され前記折り目で内側に折り込まれる角錐用前底板及び角錐用後底板と、前記角錐用前底板及び角錐用後底板の底辺に折り目を介して連設されかつ隣接する前記第１角錐用側板又は第ｎ角錐用側板と内側に折り込まれて重合固定される角錐用前側板及び角錐用後側板と、を備えた折り畳みシートであって、
ｙ角形状に形成された前記角錐用前側板、前記角錐用後側板及び前記第１〜ｎ角錐用側板を折り込んで重合させて中空のｙ角錐状（但し、ｙは３≦ｙ≦（ｎ＋２）の自然数）に形成され、前記第１〜ｎ角錐用底板と前記角錐用前底板と前記角錐用後底板の底辺が、折り畳んだ際に当接する前記ｙ角形状に形成された前記角錐用前側板、前記角錐用後側板又は前記第１〜ｎ角錐用側板の各辺の長さと同じであることを特徴とする折り畳みシート。
【請求項８】
前記第２〜ｎ角錐用底板の側板側の長さが、前記第２角錐用底板から前記第ｎ角錐用底板にいくに従い、前記第１角錐用底板の側板側の長さより、順次前記第１角錐用側板乃至前記第（ｎ−１）角錐用側板の厚みの和だけ長く又は短く形成されており、
及び／又は、前記第１〜ｎ角錐用底板の底辺の長さが、前記第１角錐用底板から前記第ｎ角錐用底板にいくに従い、折り込まれる側の角錐用底板の底辺の長さより、連接する角錐用底板の厚みの和だけ長く又は短く形成されていることを特徴とする請求項７に記載の折り畳みシート。
【請求項９】
前記角錐用底板部が、前記角錐用底板部の上面に固定された１以上の中敷を有していることを特徴とする請求項７又は８に記載の折り畳みシート。
【請求項１０】
中空の前記ｙ角錐状のｙが４〜８であることを特徴とする請求項７乃至９の内いずれか１項に記載の折り畳みシート。
【請求項１１】
請求項７及至１０のいずれかに記載の折り畳みシートを用いて折った折り畳み容器であって、
前記折り畳みシートを折り込んで中空のｙ角錐状（但し、ｙは３≦ｙ≦（ｎ＋２）の自然数）に形成された折り畳み容器。
【発明の詳細な説明】
【０００１】
【発明の属する技術分野】
本発明は、ペット用トイレ砂やプレゼントなどの贈答品やお菓子等の多様な被収納物の包装用として使用することができ、開封後はそのままの形状で収納用として使用することができる折り畳みシート及びそれを用いた折り畳み容器に関するものである。
【０００２】
【従来の技術】
従来、各種被収納物は、被収納物の目的、大きさ及び形状に合わせた箱状や袋状の容器に収納されて販売され、使用時は容器を開封しそのまま使用されるかもしくは別容器に移し替えて使用され、使用後はもとの容器かもしくは移し替えられた容器に収納されて保管されたり、あるいは廃却されていた。例えば、お菓子等は引出式や一部開口、又は広い開口の取り出し口を持つ様々な形状の箱状の容器に収納されて販売され、使用時は箱状の容器を開封しそのまま取り出して食べたり、又は大勢で使用する場合等は他の大きな開口を有する皿等の容器に移し替えられ使用され、さらに使用後は箱状の容器ごと廃却されたり開口部を閉じて保管されていた。また、猫等小型のペット用トイレ砂は袋状の容器に収納されて販売され、使用時は容器を開封し防水性を有する容器に入れられ、使用後は容器から出され洗浄して繰り返し使用するかもしくは廃却されていた。また、プレゼント等の贈答品は、箱状や袋状の容器に入れられ、蓋等の開口部を開けたり袋状の一部を破ったりして贈答品を出していた。
しかしながら、従来の容器は以下のような課題を有していた。
（１）お菓子等に使用する容器の場合、容器の開口が狭いと特に大勢で一緒に食べる場合等は取りにくいという課題と、容器の開口が広すぎる場合は容器の容積が広くなるため陳列や保管に場所をとり展示効率及び運搬の作業効率に劣るという課題と、お菓子を別容器に移し替えるのは手間がかかり中身をこぼす等して非衛生的であり保管性に劣るという課題と、別容器を準備するのは旅行先などでは荷物になってしまうという課題と、を有していた。
（２）猫等小型のペット用トイレ砂に使用する容器の場合、移し替えや洗浄の手間がかかり周囲に砂等をこぼして非衛生的であるという課題と、使用後放置しておくと悪臭が発生し非衛生的であるという課題と、容器の洗浄時に洗浄場所が必要であり作業者に砂などから雑菌が付着し非衛生的であるという課題と、旅行等外出の際は容器ごと持っていくのは荷物となり運搬性が悪いという課題と、袋状の容器に収納された状態では保管場所を要し販売店や家庭での効率的な陳列収納が困難であり運搬性に劣るという課題と、を有していた。
（３）プレゼント等贈答用に使用する容器の場合、蓋を開けると被収納物がすぐに見えるためおもしろみに欠けるという課題を有していた。
そこで、これらの課題を解決するために、従来のお菓子の包装容器は、平面の包装用紙と、前記平面の包装用紙を用いて、その両側端部を封合して形成された長手方向の封合部と、前記長手方向の封合部の下端部を封合して形成された下端封合部と、前記長手方向の封合部の上端部を突出た尖部を形成しながら封合した上端封合部と、で成され、その内部にお菓子を受容することができるようにしたもの（特許文献１参照）が提案されている。また、従来のペット用トイレ砂の容器は、再閉可能な容器、および、該再閉可能な容器内に納められる新しい猫砂を有する使い捨ての猫砂箱であって、該容器は、閉状態と開状態との間で変換可能であり、該新しい猫砂は、１立方インチ当たり約０．０１と０．１００オンスの密度を有する弾力性のある紙製品を含み、該新しい猫砂は、複数の蛇腹状に折れ曲がった紙片を含むようにしたもの（特許文献２参照）が提案されている。
【０００３】
【特許文献１】
特開２００２−２２５８８２号公報
【特許文献２】
特開平９−５０６５０４号公報
【０００４】
【発明が解決しようとする課題】
しかしながら上記従来の技術においては、以下のような課題を有していた。
（１）特許文献１に開示の技術は、開封した際に中身をこぼす等することがあり非衛生的であるという課題と、食べる途中に容器を立てて保管するため容器を倒した際に中身がこぼれてしまうという課題と、を有していた。
（２）特許文献２に開示の技術は、旅行等外出の際は容器ごと持っていくのは荷物となり運搬性が悪いという課題と、片付ける際に砂が飛散し非衛生的であるという課題と、を有していた。
【０００５】
本発明は上記従来の課題を解決するもので、ペット用トイレ砂やお菓子等の被収納物をコンパクトで場所をとらず収納保管することができ、持ち運びを容易にでき、場所を選ばず開封することによって広い開口部を有し持ち運んだ場所で使用しやすい状態で被収納物を使用することができ、使用後は再び折り畳むことによってコンパクトに保管又は廃却することで収納及び機能性に優れ、衛生的に優れ、デザイン性に優れるため贈答容器にも使用できる折り畳みシート及びそれを用いた折り畳み容器を提供することを目的とする。
【０００６】
【課題を解決するための手段】
本発明の請求項１に記載の折り畳みシートは、略方形状に形成された底板部と、前記底板部がｎ分割され形成された第１〜ｎ（但し、ｎは２以上の自然数）底板と、前記第１〜ｎ底板の両端に折り目を介して連設され前記折り目で内側に折り込まれる第１〜ｎ側板と、前記底板部の前後の両端に折り目を介して連設され前記折り目で内側に折り込まれる前底板及び後底板と、前記前底板及び後底板に折り目を介して連設されかつ隣接する前記第１側板又は第ｎ側板と内側に折り込まれて重合固定される前側板及び後側板と、を備えた折り畳みシートであって、ｘ角形状に形成された前記前側板、前記後側板及び前記第１〜ｎ側板を折り込んで重合させて中空のｘ角柱状（但し、ｘは３≦ｘ≦（ｎ＋２）の自然数）に形成され、前記第１〜ｎ底板と前記前底板と前記後底板の両端の辺が折り畳んだ際に当接する前記ｘ角柱状の１側面形状に形成された前記前側板、前記後側板及び前記第１〜ｎ側板の各辺の長さと同じである構成を有している。
この構成により、以下のような作用が得られる。
（１）底板を連設する折り目を谷折りして中空のｘ角柱状（但し、ｘは３≦ｘ≦（ｎ＋２）の自然数）の形状に折り畳まれるため、被収納物を折り畳みシートに収納している時はコンパクトで保管場所をとらず運搬も容易に行うことができる。
（２）底板部、第１〜ｎ側板、前底板及び後底板により折り畳みシートが略箱型に形成されるので、被収納物の出し入れを容易に行うことができる。
（３）折り畳みシートが開封時に略箱型に形成されるので、被収納物を開口の大きい別容器等に移し替える必要がない。
（４）使用後に残った被収納物を収納したまま折り畳むことができるため、小さくコンパクト化でき、保管に場所をとらず、また容易に廃却することができる。
（５）運搬、開封及び収納が容易であるため、旅先等での繰り返しの使用や持ち返り及び廃却を容易に行うことができる。
（６）底板部の折り目を折り畳むことによって第１側板、第２側板、第３側板、最後に第（ｎ−１）側板の表面と第ｎ側板の裏面が重合しており重合が密で開き難く折り畳むだけで折り畳みシートの封止し係止めをすることができるので、別途封止手段や係止手段を必要とせず低価格で量産できる。
（７）前底板と第１底板及び第１側板で囲まれた付近に収納された被収納物は、底板部の折り目を折り畳むことによって第２底板及び第２側板、第３底板及び第３側板、第ｎ底板及び第ｎ側板に幾重にも囲まれるため、折り畳み後被収納物は折り畳みシートの外に漏れることがなく堅固に収納することができ、収納性に優れる。
（８）被収納物が粒子状のものであり補充等してその量が開封時よりも多くなってても、前底板及び後底板の両側から折り畳み端部間を衝合させることで収納容積が２倍になるため、収納性に優れる。
（９）嵌合構造などの複雑な形状を伴わずに折り畳むので、折り畳みシートを壊さずに開封作業及び収納作業を容易に行うことができ作業性に優れる。
（１０）折り畳んだ状態が多角柱状であり広げると略箱型の収納空間を有するため、デザイン性に優れる。
（１１）プレゼント等の贈答品として用いる際、開封時に被収納物が第１〜ｎ底板に重なって被覆されており被収納物がすぐには現れないため、プレゼントの受取者に意外性及び期待感を与えることができる。
【０００７】
ここで、折り畳みシートの材質としては、薄手から厚手の各種紙類、木材、金網、金属、合成樹脂、皮、布等で腰（剛性）のあるものであれば何でも用いられる。特に、紙類は、軽量であり製造コストがかからず経済性に優れるため、お菓子等の容器として好ましい。また、生分解性プラスチックは、防水性を有し時間の経過とともに自然に分解されるため、ペット用トイレ砂容器として旅行等出先で使用した場合、使用後はペット用トイレ砂といっしょに地面に埋めても微生物によって分解されることで環境的に優れ、さらに持ち返っても洗浄することで再利用でき、好ましい。また、金属製等の網で形成されたものは、通気性に優れるため、球根や食材を干す容器として好ましい。
折り畳みシートの表面及び内部のデザインは、無地、模様あるいは切り抜き等を設けることが考えられる。特に、模様や切り抜き等を設けるのは、デザイン性に優れるため、プレゼント等贈答品容器として好ましい。
また、折り畳みシートには持ち手や、係止部に掛けるための係止具を設けてもよく、これにより球根や食材を干す容器の場合軒下に下げて使用できるため、運用性に優れる。
この他、被収納物としては、酒瓶、人形の家、おもちゃ、洋服、靴、食品、傘、宝石、化粧品、文房具、薬、洗剤、スポーツ用品、台所用品、裁縫道具等が考えられ、折り畳みシートは多様な被収納物の収納に使用される。
ｎの数値はｘ角柱状（但し、ｘは３以上の自然数）のｘの値に左右されるが、ｎの値が（ｘ−２）より小さくなるにつれ折り畳みシートを折り畳んだ時に底板及び側板の重合が減ることで封止状態及び係止状態が悪くなる傾向がみられ、また、３ｘより大きくなるにつれて折り込み数が多くなるため生産性に欠けるとともに、重量が増し運搬性に欠ける傾向がみられるため、好ましくない。ただし、子供へのプレゼント容器やびっくり箱等の意外性のある容器として使用するならば、逆にｎが大きいほうが開封しても被収納物が中々出ないことから箱を開ける者の期待感が一層高まる効果があるため、好適である。
前側板、後側板及び第１〜ｎ側板の形状は、容器を折り畳んだ際にｘ角形の範囲内に納まり重合できる大きさであることが求められる。特に、第１〜ｎ底板の側辺の長さを一辺とするｘ角形状は、折り畳みシートから被収納物の外部への漏れを防ぐことができ、さらにｘが５より大きい多角形状ならば、折り畳みシートを折り畳んだ時、第１〜ｎ側板が広い面積で当接し重合しており折り畳み容器が強固に封止され構造性に優れるため、好ましい。また、この時にｘが５以上の正ｘ角形状に形成されると、折り畳みシートを広げて略箱型にした状態では各側板の高さが同じとなるため意匠性に優れ、また、隣接側板同士が接触又は一部重合することで被収納物を使用時側板から洩れることを防止するため運用性に優れるため、好ましい。さらに、その際に窓付きやデザイン性のある形状にすると、意匠性に優れるため、プレゼント等贈答品の容器等に好ましい。
【０００８】
請求項２に記載の発明は、請求項１に記載の折り畳みシートであって、前記第２〜ｎ底板の側板方向の長さが、前記第２底板から前記第ｎ底板にいくに従い、前記第１底板の側板方向の長さより、順次前記第１側板乃至前記第（ｎ−１）側板の厚みの和の２倍だけ長く又は短く形成されており、
及び／又は、前記第１〜ｎ底板の奥行き方向の長さが、前記第１底板から前記第ｎ底板にいくに従い、折り込まれる底板の奥行きの長さより、連接する底板の厚みの和だけ長く又は短く形成されている構成を有している。
この構成により、請求項１に記載の作用に加え、以下のような作用が得られる。
（１）第２〜ｎ底板の側板方向の長さを長く又は短くすることで、折り畳みシートが厚手の紙等や硬質素材で形成されていても形を乱すことなくスムーズに第１底板側から各側板を重合させ折り畳むことができるため、折り畳み時の作業性及び運用性に優れる。
（２）第１〜ｎ底板の奥行き方向の長さを長く又は短くすることで、折り畳みシートが厚手の紙等や硬質素材で形成されていても形を乱すことなくスムーズに第１底板側から各底板を重合させ折り畳むことができるため、折り畳み時の作業性及び運用性に優れる。
【０００９】
請求項３に記載の発明は、請求項１又は２に記載の折り畳みシートであって、前記底板部が、
前記底板部の上面に固定された１以上の中敷を備えた構成を有している。
この構成により、請求項１又は２に記載の作用に加え、以下のような作用が得られる。
（１）開封作業時及び収納作業時に、被収納物が中敷によって被覆されているため、被収納物が折り畳みシート外に洩れることを防止し衛生的に優れる。
【００１０】
ここで、中敷の配置方法は、１枚の中敷を底板部全体を覆うように配置する方法、１枚の中敷を底板部の底辺もしくは側辺のいずれかの端部に配置する方法、複数枚の中敷を底板部の底辺、側辺の内少なくとも２辺の端部に配置する方法が用いられる。特に、複数枚の中敷を底板部の底辺、側辺の内少なくとも２辺の端部に配置する方法は使用する中敷が少なくて省資源性に優れるため、好ましい。
中敷の底板部への固定方法は、接着剤で固定する方法、テープ等で固定する方法などが用いられる。特に、接着剤で固定する方法は、強固に固定できるため、好ましい。
中敷の形状としては、被収納物の形状、被収納物の大きさ、量、用途にあわせ形成されるが、方形状、方形の四隅を四角く切り取った形状、方形の四隅に切れこみを入れた形状等が用いられる。特に、方形状は、中敷を容易に広げて折り返すことができるため、好ましい。
中敷の材質としては、折り畳みシート及び被収納物の用途、形状等、廃却方法にあわせ用いられるが、紙類、布類、ビニールシート、ポリエチレン、生分解性プラスチック、炭酸カルシウム、防水性を有する紙等が用いられる。特に、防水性を有する紙やビニールシートなどは、防水性を有することでペットの尿及びペットの尿等で汚染されたトイレ砂を中敷より外部に漏らすことがなく衛生的に優れるため、ペット用トイレ砂容器に使用する中敷として好ましい。
【００１１】
請求項４に記載の発明は、請求項１及至３の内いずれか１項に記載の折り畳みシートであって、前記中敷が、前記中敷の前記底板部との固定部からのびた自由端を有し、
前記自由端の長さが、前記ｘ角形状に形成された前記前側板、前記後側板及び前記第１〜ｎ側板の折り目に垂直な方向の長さの２倍以上である構成を有している。
この構成により、請求項１及至３の内いずれか１項に記載の作用に加え、以下のような作用が得られる。
（１）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れる。
（２）自由端の長さが前記ｘ角形状に形成された前記前側板、前記後側板及び前記第１〜ｎ側板の折り目に垂直な方向の長さの２倍以上に形成されており、開封時に、中敷を第１〜ｎ側板、前側板及び後側板の両面に当接させることができるため、中敷が被収納物を被覆して使用時邪魔になることなく出し入れ等の作業が容易となり作業性に優れるとともに、各側板間の隙間を無くし粒子状の被収納物が洩れることを防止し機能性に優れ、さらに、各側板の被収納物による汚染や劣化を防止し衛生的であるとともに長期間の折り畳みシートの使用を可能とし経済的に優れる。
（３）中敷が各側板を一体に覆い補強材の役目をなすので、各側板がバラバラに倒れたりせず容体としての機械的強度に優れる。
【００１２】
ここで、自由端の長さが、前記ｘ角形状に形成された前記前側板、前記後側板及び前記第１〜ｎ側板の折り目に垂直な方向の長さの２倍以上であることで、中敷を第１〜ｎ側板、前側板及び後側板の両面さらには底板部の下面へと被覆させることで折り畳みシート全体の視認性も良くなり、また、クリップ等により中敷を第１〜ｎ側板、前側板及び後側板へと固定することにより折り畳みシートが堅固なものになる。
中敷を利用したものの例として、折り畳みシートをペット用トイレとして使用する場合がある。まず、折り畳みシートの容積分だけのペット用トイレ砂をビニール袋等に梱包した状態で折り畳みシートに収納し販売する。使用者が折り畳みシートを広げ中敷を開きペット用トイレ砂を折り畳みシート全体に広げることで、ペットはこの上から排泄することができる。その際に、中敷と折り畳みシートの側板をクリップ等の留め具で留めておくことによってペットが中敷を踏み破損したり、あるいは中敷をめくり上から排泄しシートを汚染、破損したりすることを防止する。また、棒状の補強材を複数の側板に固定させることでペットが上から載っても側板が倒れず折り畳みシートが破損されることを防止することができる。使用後はペット用トイレ砂を中敷で被覆し、ペット用トイレ砂を折り畳みシートの第１底板側に寄せた状態で折り畳みシートを第１底板側から折り畳み収納し、保管又はゴミとして廃却する。
【００１３】
請求項５に記載の発明は、請求項１及至４の内いずれか１項に記載の折り畳みシートであって、中空の前記ｘ角柱状のｘが４〜８である構成を有している。
この構成により、請求項１乃至４の内いずれか１項に記載の作用に加え、以下のような作用が得られる。
（１）折り畳みシートが折り込まれて４〜８角柱に形成されることで折り畳みシートが転がりにくくなるため、安定性が増し商品の陳列時の作業性に優れる。
（２）折り畳みシートが折り込まれて４〜８角柱に形成されることで折り畳みシートを容易に重ねることができるため、運搬性及び保管性に優れる。
（３）折り畳みシートが折り込まれて４〜８角柱に形成されることで形状が複雑にならないため、折り畳みシートを容易に製造でき生産性に優れる。
【００１４】
ここで、前側板、後側板及び第１〜ｎ側板の形状が４角形より小さくなるにつれて折り畳みシートを折り畳んでも封止係止状態が悪くなり被収納物を収納することが出来なくなる傾向がみられ、また、８角形より多角形になるにつれて保管等する際に転がるなどして安定性に劣りさらに製造が複雑となり生産性に欠ける傾向がみられ、いずれも好ましくない。
さらに、前側板、後側板及び第１〜ｎ側板の形状が４角形、すなわち折り畳みシートが直方体に折り込まれる場合、折り畳みシートの組み立て前の展開図が正、長方形となり、１枚の板から切りぬくことで折り畳みシートを製造することが可能になるため、製造が容易で生産性に優れるとともに、コスト削減にもなり経済性にも優れるため、好適に用いられる。
【００１５】
請求項６に記載の発明は、請求項１及至５のいずれかに記載の折り畳みシートを用いて折った折り畳み容器であって、
前記折り畳みシートを折り込んで中空のｘ角柱状（但し、ｘは３≦ｘ≦（ｎ＋２）の自然数）に形成された構成を有している。
この構成により、以下のような作用が得られる。
（１）底板を連設する折り目を谷折りして中空のｘ角柱状（但し、ｘは３≦ｘ≦（ｎ＋２）の自然数）の形状に折り畳まれるため、被収納物を折り畳み容器に収納している時はコンパクトで保管場所をとらず運搬も容易に行うことができる。
（２）底板部、第１〜ｎ側板、前底板及び後底板により折り畳み容器が略箱型に形成されるので、被収納物の出し入れを容易に行うことができる。
（３）折り畳み容器が開封時に略箱型に形成されるので、被収納物を開口の大きい別容器等に移し替える必要がない。
（４）使用後に残った被収納物を収納したまま折り畳むことができるため、小さくコンパクト化でき、保管に場所をとらず、また容易に廃却することができる。
（５）運搬、開封及び収納が容易であるため、旅先等での繰り返しの使用や持ち返り及び廃却を容易に行うことができる。
（６）底板部の折り目を折り畳むことによって第１側板、第２側板、第３側板、最後に第（ｎ−１）側板の表面と第ｎ側板の裏面が重合しており重合が密で開き難く折り畳むだけで折り畳み容器の封止し係止めをすることができるので、別途封止手段や係止手段を必要とせず低価格で量産できる。
（７）前底板と第１底板及び第１側板で囲まれた付近に収納された被収納物は、底板部の折り目を折り畳むことによって第２底板及び第２側板、第３底板及び第３側板、第ｎ底板及び第ｎ側板に幾重にも囲まれるため、折り畳み後被収納物は折り畳み容器の外に漏れることがなく堅固に収納することができ、収納性に優れる。
（８）被収納物が粒子状のものであり補充等してその量が開封時よりも多くなってても、前底板及び後底板の両側から折り畳み端部間を衝合させることで収納容積が２倍になるため、収納性に優れる。
（９）嵌合構造などの複雑な形状を伴わずに折り畳むので、折り畳み容器を壊さずに開封作業及び収納作業を容易に行うことができ作業性に優れる。
（１０）折り畳んだ状態が多角柱状であり広げると略箱型の収納空間を有するため、デザイン性に優れる。
（１１）プレゼント等の贈答品として用いる際、開封時に被収納物が第１〜ｎ底板に重なって被覆されており被収納物がすぐには現れないため、プレゼントの受取者に意外性及び期待感を与えることができる。
（１２）第２〜ｎ底板の側板方向の長さを長く又は短くすることで、折り畳み容器が厚手の紙等や硬質素材で形成されていても形を乱すことなくスムーズに第１底板側から各側板を重合させ折り畳むことができるため、折り畳み時の作業性及び運用性に優れる。
（１３）第１〜ｎ底板の奥行き方向の長さを長く又は短くすることで、折り畳み容器が厚手の紙等や硬質素材で形成されていても形を乱すことなくスムーズに第１底板側から各底板を重合させ折り畳むことができるため、折り畳み時の作業性及び運用性に優れる。
（１４）開封作業時及び収納作業時に、被収納物が中敷によって被覆されているため、被収納物が折り畳み容器外に洩れることを防止し衛生的に優れる。
（１５）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れる。
（１６）自由端の長さが前記ｘ角形状に形成された前記前側板、前記後側板及び前記第１〜ｎ側板の折り目に垂直な方向の長さの２倍以上に形成されており、開封時に、中敷を第１〜ｎ側板、前側板及び後側板の両面に当接させることができるため、中敷が被収納物を被覆して使用時邪魔になることなく出し入れ等の作業が容易となり作業性に優れるとともに、各側板間の隙間を無くし粒子状の被収納物が洩れることを防止し機能性に優れ、さらに、各側板の被収納物による汚染や劣化を防止し衛生的であるとともに長期間の折り畳み容器の使用を可能とし経済的に優れる。
（１７）中敷が各側板を一体に覆い補強材の役目をなすので、各側板がバラバラに倒れたりせず容体としての機械的強度に優れる。
（１８）折り畳み容器が折り込まれて４〜８角柱に形成されることで折り畳み容器が転がりにくくなるため、安定性が増し商品の陳列時の作業性に優れる。
（１９）折り畳み容器が折り込まれて４〜８角柱に形成されることで折り畳み容器を容易に重ねることができるため、運搬性及び保管性に優れる。
（２０）折り畳み容器が折り込まれて４〜８角柱に形成されることで形状が複雑にならないため、折り畳み容器を容易に製造でき生産性に優れる。
【００１６】
請求項７に記載の発明は、略三角形状に形成された角錐用底板部と、前記角錐用底板部が頂点を中心にｎ分割されて形成された第１〜ｎ（但し、ｎは２以上の自然数）角錐用底板と、前記第１〜ｎ角錐用底板の各底辺に折り目を介して連設され前記折り目で内側に折り込まれる第１〜ｎ角錐用側板と、前記角錐用底板部の側辺の両端に折り目を介して連設され前記折り目で内側に折り込まれる角錐用前底板及び角錐用後底板と、前記角錐用前底板及び角錐用後底板の底辺に折り目を介して連設されかつ隣接する前記第１角錐用側板又は第ｎ角錐用側板と内側に折り込まれて重合固定される角錐用前側板及び角錐用後側板と、を備えた折り畳みシートであって、
ｙ角形状に形成された前記角錐用前側板、前記角錐用後側板及び前記第１〜ｎ角錐用側板を折り込んで重合させて中空のｙ角錐状（但し、ｙは３≦ｙ≦（ｎ＋２）の自然数）に形成され、前記第１〜ｎ角錐用底板と前記角錐用前底板と前記角錐用後底板の底辺が、折り畳んだ際に当接する前記ｙ角形状に形成された前記角錐用前側板、前記角錐用後側板又は前記第１〜ｎ角錐用側板の各辺の長さと同じである構成を有している。
この構成により、以下のような作用が得られる。
（１）角錐用底板を連設する折り目を谷折りして中空のｙ角錐（但し、ｙは３≦ｙ≦（ｎ＋２）の自然数）の形状に折り畳まれるため、被収納物を折り畳みシートに収納している時はコンパクトで保管場所をとらず運搬も容易に行うことができる。
（２）角錐用底板部、第１〜ｎ角錐用側板、角錐用前底板及び角錐用後底板により折り畳みシートが略三角形箱型に形成されるので、被収納物の出し入れを容易に行うことができる。
（３）折り畳みシートが開封時に略三角形箱型に形成されるので、被収納物を開口の大きい別容器等に移し替える必要がない。
（４）使用後に残った被収納物を収納したまま折り畳むことができるため、小さくコンパクト化でき、保管に場所をとらず、また容易に廃却することができる。
（５）運搬、開封及び収納が容易であるため、旅先等での繰り返しの使用や持ち返り及び廃却を容易に行うことができる。
（６）角錐用底板部の折り目を折り畳むことによって第１角錐用側板、第２角錐用側板、第３角錐用側板、最後に第（ｎ−１）角錐用側板の表面と第ｎ角錐用側板の裏面が重合しており重合が密で開き難く折り畳むだけで折り畳みシートの封止し係止めをすることができるので、別途封止手段や係止手段を必要とせず低価格で量産できる。
（７）角錐用前底板と第１角錐用底板及び第１角錐用側板で囲まれた付近に収納された被収納物は、角錐用底板部の折り目を折り畳むことによって第２角錐用底板及び第２角錐用側板、第３角錐用底板及び第３角錐用側板、第ｎ角錐用底板及び第ｎ角錐用側板に幾重にも囲まれるため、折り畳み後被収納物は折り畳みシートの外に漏れることがなく堅固に収納することができ、収納性に優れる。
（８）被収納物が粒子状のものであり補充等してその量が開封時よりも多くなってても、角錐用前底板及び角錐用後底板の両側から折り畳み端部間を衝合させることで収納容積が２倍になるため、収納性に優れる。
（９）嵌合構造などの複雑な形状を伴わずに折り畳むので、折り畳みシートを壊さずに開封作業及び収納作業を容易に行うことができ作業性に優れる。
（１０）折り畳んだ状態が多角錐状であり広げると略三角形箱型の収納空間を有するため、デザイン性に優れる。
（１１）プレゼント等の贈答品として用いる際、開封時に被収納物が第１〜ｎ角錐用底板に重なって被覆されており被収納物がすぐには現れないため、プレゼントの受取者に意外性及び期待感を与えることができる。
【００１７】
ここで、折り畳みシートの材質としては、前述のものと同じものが挙げられる。
折り畳みシートの表面及び内部のデザインや持ち手や、係止部に掛けるための係止具は前述のものと同様である。
ｎの数値は中空のｙ角錐状（但し、ｙは３以上の自然数）のｙの値に左右されるが、ｎの値が（ｙ−２）より小さくなるにつれ折り畳みシートを折り畳んだ時に角錐用底板及び角錐用側板の重合が減ることで封止状態及び係止状態が悪くなる傾向がみられ、また、３ｙより大きくなるにつれて折り込み数が多くなるため生産性に欠けるとともに、重量が増し運搬性に欠ける傾向がみられるため、好ましくない。ただし、子供へのプレゼント容器やびっくり箱等の意外性のある容器として使用するならば、逆にｎが大きいほうが開封しても被収納物が中々出ないことから箱を開ける者の期待感が一層高まる効果があるため、好適である。
角錐用前側板、角錐用後側板又は第１〜ｎ角錐用側板の形状は、折り畳みシートを折り畳んだ際にｙ角形の範囲内に納まり重合できる大きさであることが求められる。特に、第１〜ｎ角錐用底板の側辺の長さを一辺とするｙ角形状は、折り畳みシートから被収納物の外部への漏れを防ぐことができ、さらにｙが５より大きい多角形状ならば、折り畳みシートを折り畳んだ時、第１〜ｎ角錐用側板が広い面積で当接し重合しており折り畳みシートが強固に封止され構造性に優れるため、好ましい。また、この時にｙが５以上の正ｙ角形状に形成されると、折り畳みシートを広げた状態では各角錐用側板の高さが同じとなるため意匠性に優れ、また、隣接角錐用側板同士が接触又は一部重合するため被収納物を使用時各角錐用側板から洩れることを防止するため運用性に優れるため、好ましい。さらに、その際に窓付きやデザイン性のある形状にすることによって、意匠性に優れるため、プレゼント等贈答品の容器等に好ましい。
【００１８】
請求項８に記載の発明は、請求項７に記載の折り畳みシートであって、前記第２〜ｎ角錐用底板の側板側の長さが、前記第２角錐用底板から前記第ｎ角錐用底板にいくに従い、前記第１角錐用底板の側板側の長さより、順次前記第１角錐用側板乃至前記第（ｎ−１）角錐用側板の厚みの和だけ長く又は短く形成されており、
及び／又は、前記第１〜ｎ角錐用底板の底辺の長さが、前記第１角錐用底板から前記第ｎ角錐用底板にいくに従い、折り込まれる側の角錐用底板の底辺の長さより、連接する角錐用底板の厚みの和だけ長く又は短く形成されている構成を有している。
この構成により、請求項７に記載の作用に加え、以下のような作用が得られる。
（１）第２〜ｎ角錐用底板の側辺の長さを長く又は短くすることで、折り畳みシートが厚手の紙等や硬質素材で形成されていても形を乱すことなくスムーズに第１角錐用底板側から各角錐用側板を重合させ折り畳むことができるため、折り畳み時の作業性及び運用性に優れる。
（２）第１〜ｎ角錐用底板の底辺の長さを長く又は短くすることで、折り畳みシートが厚手の紙等や硬質素材で形成されていても形を乱すことなくスムーズに第１角錐用底板側から各角錐用底板を重合させ折り畳むことができるため、折り畳み時の作業性及び運用性に優れる。
【００１９】
請求項９に記載の発明は、請求項７又は８に記載の折り畳みシートであって、前記角錐用底板部が、
前記角錐用底板部の上面に固定された１以上の中敷を備えた構成を有している。
この構成により、請求項７又は８に記載の作用に加え、以下のような作用が得られる。
（１）開封作業時及び収納作業時に、被収納物が中敷によって被覆されているため、被収納物が折り畳みシート外に洩れることを防止し衛生的に優れる。
（２）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れる。
（３）自由端の長さがｙ角形状に形成された角錐用前側板、角錐用後側板又は第１〜ｎ角錐用側板の折り目に垂直な方向の長さの２倍以上に形成されることで開封時に、中敷を第１〜ｎ角錐用側板、角錐用前側板及び角錐用後側板の両面に当接させることができるため、中敷が被収納物を被覆して使用時邪魔になることなく出し入れ等の作業が容易となり作業性に優れるとともに、各角錐用側板間の隙間を無くし特に粒子状の被収納物が洩れることを防止し機能性に優れ、さらに、各角錐用側板の被収納物による汚染や劣化を防止し衛生的であるとともに長期間の折り畳みシートの使用を可能とし経済的に優れる。
（４）中敷が各角錐用側板を一体に覆い補強材の役目をなすので、各角錐用側板がバラバラに倒れたりせず容体としての機械的強度に優れる。
【００２０】
ここで、中敷の配置方法は、１枚の中敷を角錐用底板部全体を覆うように配置する方法、１枚の中敷を角錐用底板部の底辺もしくは側辺のいずれかの端部に配置する方法、複数枚の中敷を角錐用底板部の底辺、側辺の内少なくとも２辺の端部に配置する方法が用いられる。特に、複数枚の中敷を角錐用底板部の底辺、側辺の内少なくとも２辺の端部に配置する方法は使用する中敷が少なく済み省資源性に優れるため、好ましい。
中敷の角錐用底板部への固定方法や形状、材質は前述のものと同様である。
自由端の長さが、ｙ角形状に形成された角錐用前側板、角錐用後側板又は第１〜ｎ角錐用側板の折り目に垂直な方向の長さの２倍以上であることで、中敷を第１〜ｎ角錐用側板、角錐用前側板及び角錐用後側板の両面さらには角錐用底板部の下面へと被覆させることで折り畳みシート全体の視認性も良くなり、また、クリップ等により中敷を第１〜ｎ角錐用側板、角錐用前側板及び角錐用後側板へと固定することにより折り畳みシートが堅固なものになる。
中敷を利用したものの例として、折り畳みシートをペット用トイレとして使用する場合がある。まず、折り畳みシートの容積分だけのペット用トイレ砂をビニール袋等に梱包した状態で折り畳みシートに収納し販売する。使用者が折り畳みシートを広げ中敷を開きペット用トイレ砂を折り畳みシート全体に広げることで、ペットはこの上から排泄することができる。その際に、中敷と折り畳みシートの角錐用側板をクリップ等の留め具で留めておくことによってペットが中敷を踏み破損したり、あるいは中敷をめくり上から排泄しシートを汚染、破損したりすることを防止する。また、棒状の補強材を複数の角錐用側板に固定させることでペットが上から載っても角錐用側板が倒れず折り畳みシートが破損されることを防止する。使用後はペット用トイレ砂を中敷で被覆し、ペット用トイレ砂を折り畳みシートの第１角錐用底板側に寄せた状態で折り畳みシートを第１角錐用底板側から折り畳み収納し、保管又はゴミとして廃却する。
【００２１】
請求項１０に記載の発明は、請求項７及至９の内いずれか１項に記載の折り畳みシートであって、中空の前記ｙ角錐状のｙが４〜８である構成を有している。
この構成により、請求項７及至９の内いずれか１項に記載の作用に加え、以下のような作用が得られる。
（１）折り畳みシートが４〜８角錐に形成されることで折り畳みシートが転がりにくくなるため、安定性が増し商品の陳列時の作業性に優れる。
（２）折り畳みシートが４〜８角錐に形成されることで折り畳みシートを容易に重ねることができるため、運搬性及び保管性に優れる。
（３）折り畳みシートが４〜８角錐に形成されることで形状が複雑にならないため、折り畳みシートを容易に製造でき生産性に優れる。
【００２２】
ここで、角錐用前側板、角錐用後側板及び第１〜ｎ角錐用側板の形状が４角形より小さくなるにつれて折り畳みシートを折り畳んでも封止係止状態が悪くなり被収納物を収納することが出来なくなる傾向がみられ、また、８角形より多角形になるにつれて保管等する際に転がるなどして安定性に劣りさらに製造が複雑となり生産性に欠ける傾向がみられ、いずれも好ましくない。
さらに、角錐用前側板、角錐用後側板及び第１〜ｎ角錐用側板の形状が４角形、すなわち折り畳みシートが四角錐に折り込まれる場合、１枚の板から切りぬくことで折り畳みシートを製造することが可能になるため、製造が容易で生産性に優れるとともに、コスト削減にもなり経済性にも優れるため、好適に用いられる。
【００２３】
請求項１１に記載の発明は、請求項７及至１０のいずれかに記載の折り畳みシートを用いて折った折り畳み容器であって、
前記折り畳みシートを折り込んで中空のｙ角錐状（但し、ｙは３≦ｙ≦（ｎ＋２）の自然数）に形成された構成を有している。
この構成により、以下のような作用が得られる。
（１）角錐用底板を連設する折り目を谷折りして中空のｙ角錐（但し、ｙは３≦ｙ≦（ｎ＋２）の自然数）の形状に折り畳まれるため、被収納物を折り畳み容器に収納している時はコンパクトで保管場所をとらず運搬も容易に行うことができる。
（２）角錐用底板部、第１〜ｎ角錐用側板、角錐用前底板及び角錐用後底板により折り畳み容器が略三角形箱型に形成されるので、被収納物の出し入れを容易に行うことができる。
（３）折り畳み容器が開封時に略三角形箱型に形成されるので、被収納物を開口の大きい別容器等に移し替える必要がない。
（４）使用後に残った被収納物を収納したまま折り畳むことができるため、小さくコンパクト化でき、保管に場所をとらず、また容易に廃却することができる。
（５）運搬、開封及び収納が容易であるため、旅先等での繰り返しの使用や持ち返り及び廃却を容易に行うことができる。
（６）角錐用底板部の折り目を折り畳むことによって第１角錐用側板、第２角錐用側板、第３角錐用側板、最後に第（ｎ−１）角錐用側板の表面と第ｎ角錐用側板の裏面が重合しており重合が密で開き難く折り畳むだけで折り畳み容器の封止し係止めをすることができるので、別途封止手段や係止手段を必要とせず低価格で量産できる。
（７）角錐用前底板と第１角錐用底板及び第１角錐用側板で囲まれた付近に収納された被収納物は、角錐用底板部の折り目を折り畳むことによって第２角錐用底板及び第２角錐用側板、第３角錐用底板及び第３角錐用側板、第ｎ角錐用底板及び第ｎ角錐用側板に幾重にも囲まれるため、折り畳み後被収納物は折り畳み容器の外に漏れることがなく堅固に収納することができ、収納性に優れる。
（８）被収納物が粒子状のものであり補充等してその量が開封時よりも多くなってても、角錐用前底板及び角錐用後底板の両側から折り畳み端部間を衝合させることで収納容積が２倍になるため、収納性に優れる。
（９）嵌合構造などの複雑な形状を伴わずに折り畳むので、折り畳み容器を壊さずに開封作業及び収納作業を容易に行うことができ作業性に優れる。
（１０）折り畳んだ状態が多角錐状であり広げると略三角形箱型の収納空間を有するため、デザイン性に優れる。
（１１）プレゼント等の贈答品として用いる際、開封時に被収納物が第１〜ｎ角錐用底板に重なって被覆されており被収納物がすぐには現れないため、プレゼントの受取者に意外性及び期待感を与えることができる。
（１２）第２〜ｎ角錐用底板の側辺の長さを長く又は短くすることで、折り畳み容器が厚手の紙等や硬質素材で形成されていても形を乱すことなくスムーズに第１角錐用底板側から各角錐用側板を重合させ折り畳むことができるため、折り畳み時の作業性及び運用性に優れる。
（１３）第１〜ｎ角錐用底板の底辺の長さを長く又は短くすることで、折り畳み容器が厚手の紙等や硬質素材で形成されていても形を乱すことなくスムーズに第１角錐用底板側から各角錐用底板を重合させ折り畳むことができるため、折り畳み時の作業性及び運用性に優れる。
（１４）開封作業時及び収納作業時に、被収納物が中敷によって被覆されているため、被収納物が折り畳み容器外に洩れることを防止し衛生的に優れる。
（１５）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れる。
（１６）自由端の長さがｙ角形状に形成された角錐用前側板、角錐用後側板又は第１〜ｎ角錐用側板の折り目に垂直な方向の長さの２倍以上に形成されることで開封時に、中敷を第１〜ｎ角錐用側板、角錐用前側板及び角錐用後側板の両面に当接させることができるため、中敷が被収納物を被覆して使用時邪魔になることなく出し入れ等の作業が容易となり作業性に優れるとともに、各角錐用側板間の隙間を無くし特に粒子状の被収納物が洩れることを防止し機能性に優れ、さらに、各角錐用側板の被収納物による汚染や劣化を防止し衛生的であるとともに長期間の折り畳み容器の使用を可能とし経済的に優れる。
（１７）中敷が各角錐用側板を一体に覆い補強材の役目をなすので、各角錐用側板がバラバラに倒れたりせず容体としての機械的強度に優れる。
（１８）折り畳み容器が４〜８角錐に形成されることで折り畳み容器が転がりにくくなるため、安定性が増し商品の陳列時の作業性に優れる。
（１９）折り畳み容器が４〜８角錐に形成されることで折り畳み容器を容易に重ねることができるため、運搬性及び保管性に優れる。
（２０）折り畳み容器が４〜８角錐に形成されることで形状が複雑にならないため、折り畳み容器を容易に製造でき生産性に優れる。
【００２４】
【発明の実施の形態】
以下、本発明の実施の形態について、図面を用いて説明する。
（実施の形態１）
図１は本発明の実施の形態１における長方体状の折り畳み容器の組立前のシートの平面図である。図１において、１´は厚紙や合成樹脂シート等からなる実施の形態１におけるｘ＝４、ｎ＝４の折り畳み容器１用のシート、２は四角柱状の一側面形状の長方形状に形成され後述する第１底板の一端に折り目Ａを介して連設された前底板、３は同じく長方形状に形成された第１底板、４は同じく長方形状に形成され第１底板３の前底板２と対向する一端に折り目Ｂを介して連設された第２底板、５は同じく長方形状に形成され第２底板４の第１底板３と対向する一端に折り目Ｃを介して連設された第３底板、６は同じく長方形状に形成され第３底板５の第２底板４と対向する一端に折り目Ｄを介して連設された第４底板、７は同じく長方形状に形成され第４底板６の第３底板５と対向する一端に折り目Ｅを介して連設された後底板、８は第１底板３、第２底板４、第３底板５、第４底板６からなる底板部である。また、２ａ，２ａ´は方形状に形成され前底板２の対向する両端に形成された折り目２ｂ，２ｂ´を介して連設された前側板、３ａ，３ａ´は方形状に形成され第１底板３の対向する両端に形成された折り目３ｂ，３ｂ´を介して連設された第１側板、４ａ，４ａ´は方形状に形成され第２底板４の対向する両端に形成された折り目４ｂ，４ｂ´を介して連設された第２側板、５ａ，５ａ´は方形状に形成され第３底板５の対向する両端に形成された折り目５ｂ，５ｂ´を介して連設された第３側板、６ａ，６ａ´は方形状に形成され第４底板６の対向する両端に形成された折り目６ｂ，６ｂ´を介して連設された第４側板、７ａ，７ａ´は方形状に形成され後底板７の対向する両端に形成された折り目７ｂ，７ｂ´を介して連設された後側板である。また、２ｄ，３ｄ，４ｄ，５ｄ，６ｄ，７ｄは前底板２，第１底板３，第２底板４，第３底板５，第４底板６，後底板７の側板方向の長さ、２ｄ´，３ｄ´，４ｄ´，５ｄ´，６ｄ´，７ｄ´は前底板２，第１底板３，第２底板４，第３底板５，第４底板６，後底板７の奥行き方向の長さである。
なお、実施の形態１においては、折り畳み容器１の第２底板４の側板方向の長さ４ｄを、第１底板３の側板方向の長さ３ｄより第１側板３ａ，３ａ´の厚みの和だけ長く、同様に第３底板５の側板方向の長さ５ｄを第１底板３の側板方向の長さ３ｄより第１側板３ａ，３ａ´と第２側板４ａ，４ａ´の厚みの和だけ長く、同様に第４底板６の側板方向の長さ６ｄを第１底板３の側板方向の長さ３ｄより第１側板３ａ，３ａ´と第２側板４ａ，４ａ´と第３側板５ａ，５ａ´の厚みの和だけ長く、さらに後底板７の側板方向の長さ７ｄは第３底板５の側板方向の長さ５ｄと同じ長さに形成している。なお、折り畳み容器の材質（薄くても剛性を有する材質）によっては各底板の長さを同一としてもよい。また、中空のｘ角柱状のｘは５以上の多角柱状とした場合、いわゆる底版のｎが５以上で、かつ、前、後及びこれらの間の各側板は五角形、六角形に形成される。
【００２５】
以上のように構成された実施の形態１の折り畳み容器の組み立て方法について図１及び図２を参照しながら以下に説明する。
図２は実施の形態１における折り畳み容器の組立後の斜視図である。図２において、図１で説明したのと同一のものは同一の符号を付けて説明を省略する。
図１に示す状態から、折り目２ｂ，２ｂ´，３ｂ，３ｂ´，４ｂ，４ｂ´，５ｂ，５ｂ´，６ｂ，６ｂ´，７ｂ，７ｂ´を内側に谷折りし、それぞれ前底板２、第１底板３、第２底板４、第３底板５、第４底板６、後底板７に対し各側板を垂直に立設させる。次いで、折り目Ａを内側に谷折りし前底板２を第１底板３に対し垂直に折り込み、同時に前側板２ａ，２ａ´を第１側板３ａ，３ａ´の内側へと重合させ必要に応じて糊等の接着手段で接着させる。次いで、折り目Ｅを内側に谷折りし後底板７を第４底板６に対し垂直に折り込み、同時に後側板７ａ，７ａ´を第４側板６ａ，６ａ´の内側へと重合させ必要に応じて糊等の接着手段で接着させる。これによって、図２に示すように、第１底板３、第２底板４、第３底板５、第４底板６から形成される底板部８と、第１側板３ａ，３ａ´、第２側板４ａ，４ａ´、第３側板５ａ，５ａ´、第４側板６ａ，６ａ´さらには前底板２と後底板７から形成される側壁によって略箱状の折り畳み容器１が形成される。
【００２６】
次に、実施の形態１の折り畳み容器の折り畳み及び開封方法について、図２及至図６を参照しながら以下に説明する。
図３及至図５は組立後の折り畳み容器の折り畳み過程を示す斜視図であり、図６は折り畳み過程が終了した折り畳み容器の斜視図である。図３及至図６において、図１で説明したのと同一のものは同一の符号を付けて説明を省略する。
図２に示す状態から、図３に示すように、折り目Ｂを内側に谷折りし、第１底板３を第２底板４に対し垂直に折り込み、同時に第１側板３ａ，３ａ´を第２側板４ａ，４ａ´の内側へと重合させる。次いで、図４に示すように折り目Ｃを内側に谷折りし、第２底板４を第３底板５に対し垂直に折り込み、第２側板４ａ，４ａ´を第３側板５ａ，５ａ´の内側へと重合させる。次いで、図５に示すように折り目Ｄを内側に谷折りし、第３底板５を第４底板６に対し垂直に折り込み、第３側板５ａ，５ａ´を第４側板６ａ，６ａ´の内側へと、また、第１底板３を後底板７の内側へと重合させる。これによって、図６に示すように、実施の形態１の長方体状の折り畳み容器１が得られる。
また、折り畳み容器１を開封する場合は、図５に示すように、第２底板４と後底板７から開き、さらに図４に示すように、折り目Ｄを元に戻して第３底板５と第４底板６を水平にし、以下は同様に図３に示すように、折り目Ｃを元に戻して第２底板４と第３底板５を水平にし、図２に示すように、折り目Ｂを元に戻して第１底板３と第２底板４を水平にすることによって、図２に示すような開封状態となる。
【００２７】
次に、実施の形態１の折り畳み容器を用いて被収納物を収納する際の使用方法について説明する。
被収納物は、折り畳み容器１の第１底板３付近に設置され、前述の方法で折り畳み容器１を折り畳むことによって収納される。また、収納されている被収納物を取り出す際は、前述の方法で折り畳み容器１を開封することによって被収納物を露出させ、折り畳み容器１の底板部８と前底板２、後底板７と第１側板３ａ，３ａ´、第２側板４ａ，４ａ´、第３側板５ａ，５ａ´、第４側板６ａ，６ａ´から形成される側壁によって略箱状に形成される折り畳み容器１の全体に広げることによって、被収納物がお菓子等分散しやすいものの場合でも、そのままお菓子の取り皿として使用することができる。使用後は前述の方法で折り畳み容器１を折り畳み保管、又は、ゴミとして廃棄される。
【００２８】
以上のように、実施の形態１の折り畳み容器は構成されているので、以下のような作用が得られる。
（１）底板を連設する折り目を谷折りして４角柱状に折り畳まれるため、被収納物を折り畳み容器に収納している時はコンパクトで保管場所をとらず運搬も容易に行うことができる。
（２）底板部、第１〜４側板、前底板及び後底板により折り畳み容器が略箱型に形成されるので、被収納物の出し入れを容易に行うことができる。
（３）折り畳み容器が開封時に略箱型に形成されるので、被収納物を開口の大きい別容器等に移し替える必要がない。
（４）使用後に残った被収納物を収納したまま折り畳むことができるため、小さくコンパクト化でき、保管に場所をとらず、また容易に廃却することができる。
（５）運搬、開封及び収納が容易であるため、旅先等での繰り返しの使用や持ち返り及び廃却を容易に行うことができる。
（６）底板部の折り目を折り畳むことによって第１側板、第２側板、第３側板、最後に第３側板の表面と第４側板の裏面が重合しており重合が密で開き難く折り畳むだけで折り畳み容器の封止係止めをすることができるので、別途封止手段や係止手段を必要とせず低価格で量産できる。
（７）前底板と第１底板及び第１側板で囲まれた付近に収納された被収納物は、底板部の折り目を折り畳むことによって第２底板及び第２側板、第３底板及び第３側板、第４底板及び第４側板に幾重にも囲まれるため、折り畳み後被収納物は折り畳み容器の外に漏れることがなく堅固に収納することができ、収納性に優れる。
（８）被収納物が粒子状のものであり補充等してその量が開封時よりも多くなってても、前底板及び後底板の両側から折り畳み端部間を衝合させることで収納容積が２倍になるため、収納性に優れる。
（９）嵌合構造などの複雑な形状を伴わずに折り畳むので、折り畳み容器を壊さずに開封作業及び収納作業を容易に行うことができ作業性に優れる。
（１０）第２〜４底板の側板方向の長さを長くすることで、折り畳み容器が厚手の紙等や硬質素材で形成されていても形を乱すことなくスムーズに第１底板側から各側板を重合させ折り畳むことができるため、折り畳み時の作業性及び運用性に優れる。
（１１）折り畳み容器が折り込まれて４角柱に形成されることで折り畳み容器が転がりにくくなるため、安定性が増し商品の陳列時の作業性に優れる。
（１２）折り畳み容器が折り込まれて４角柱に形成されることで折り畳み容器を容易に重ねることができるため、運搬性及び保管性に優れる。
（１３）折り畳み容器が折り込まれて４角柱に形成されることで形状が複雑にならないため、折り畳み容器を容易に製造でき生産性に優れる。
【００２９】
（実施の形態２）
図７（ａ）は本発明の実施の形態２における中敷を有する折り畳み容器の開封時の斜視図であり、図７（ｂ）は中敷を側板の外側に折り込んだ折り畳み容器の斜視図である。
図７（ａ）及び図７（ｂ）において、２は前底板、３は第１底板、４は第２底板、５は第３底板、６は第４底板、７は後底板、８は底板部、また、３ａ，３ａ´は第１側板、４ａ，４ａ´は第２側板、５ａ，５ａ´は第３側板、６ａ，６ａ´は第４側板であり、これらは実施の形態１と同様であるため同一の符号をつけて説明を省略する。９は実施の形態２における折り畳み容器、１０，１０´は紙類等からなり後述する自由端を有し底板部８の両方の側辺に後述する固定部を糊等の接着材で固定された中敷、１０ａ，１０ａ´は中敷１０，１０´の固定部、１０ｂ，１０ｂ´は中敷１０，１０´の自由端である。
ここで、実施の形態２が実施の形態１と異なる点は、固定部１０ａ，１０ａ´により自由端１０ｂ，１０ｂ´を有する中敷１０，１０´が底板部８に固定されている点である。
【００３０】
以上のように構成された実施の形態２の折り畳み容器を用いて被収納物を収納する際の使用方法について説明する。
図７（ａ）に示すように、被収納物は、中敷１０，１０´の自由端１０ｂ，１０ｂを開けた状態で折り畳み容器９の第１底板３付近にまとめられて収納され、中敷１０，１０´の自由端１０ｂ，１０ｂを被収納物の上部から被覆させ、実施の形態１と同様の方法で折り畳み容器９を折り畳むことによって収納される。
また、収納されている被収納物を取り出す際は、実施の形態１と同様の方法で折り畳み容器９を開封することによって被収納物を露出させ、図７（ｂ）に示すように、中敷１０の自由端１０ｂ，１０ｂを各側板に折り返し、さらに底板部８の裏面に当接させることによって中敷１０，１０´を折り畳み容器９の下面に固定させる。
これにより折り畳み容器９が略箱型に形成され被収納物がお菓子等分散しやすいものの場合でも、底板部８の全体に被収納物を広げることでそのままお菓子の取り皿として使用することができる。
また、被収納物がペット用トイレ砂である場合でも、折り畳み容器９を広げ中敷１０，１０´の自由端１０ｂ，１０ｂ´を開きペット用トイレ砂を折り畳み容器９の底板部８全体に広げることで簡易ペット用トイレになり、ペットはこの上から排泄することができる。この時中敷１０，１０´を有しているので、各側板がバラけて倒れず補強効果を有し、ペットが中敷１０，１０´を踏み破損させたり上から排泄し各側板を汚染、破損されることを防止する。また、棒状の補強材を各側板に固定させることでペットが上から載っても各側板が倒れず折り畳み容器９が破損されることを防止する。使用後はペット用トイレ砂を中敷１０，１０´の自由端１０ｂ，１０ｂ´で被覆し、ペット用トイレ砂を折り畳み容器９の第１底板３側に寄せた状態で折り畳み容器９を第１底板３側から折り畳み収納し、保管又はゴミとして廃却する。
【００３１】
以上のように、実施の形態２の折り畳み容器は構成されているので、実施の形態１に記載の作用に加え、以下のような作用が得られる。
（１）開封作業時及び収納作業時に、被収納物が中敷によって被覆されているため、被収納物が折り畳み容器外に洩れることを防止し衛生的に優れる。
（２）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れる。
（３）自由端の長さが前記４角形状に形成された前記前側板、前記後側板及び前記第１〜４側板の折り目に垂直な方向の長さの３倍に形成されており、開封時に、中敷を第１〜４側板、前側板及び後側板の両面に当接させることができるため、中敷が被収納物を被覆して使用時邪魔になることなく出し入れ等の作業が容易となり作業性に優れるとともに、各側板間の隙間を無くし粒子状の被収納物が洩れることを防止し機能性に優れ、さらに、各側板の被収納物による汚染や劣化を防止し衛生的であるとともに長期間の折り畳み容器の使用を可能とし経済的に優れる。
（４）中敷が各側板を一体に覆い補強材の役目をなすので、各側板がバラバラに倒れたりせず容体としての機械的強度に優れる。
【００３２】
（実施の形態３）
図８は本発明の実施の形態３における折り畳み容器の組立前の平面図である。
図８において、２は前底板、３は第１底板、４は第２底板、５は第３底板、６は第４底板、７は後底板、２ａ，２ａ´は前側板、３ａ，３ａ´は第１側板、４ａ，４ａ´は第２側板、５ａ，５ａ´は第３側板、６ａ，６ａ´は第４側板、７ａ，７ａ´は後側板であり、これらは実施の形態１と同様であるため符号をつけて説明を省略する。また、１１´は実施の形態３におけるｎ＝６、ｘ＝６の折り畳み容器１１用のシート、１２は長方形状に形成され第４底板６の第３底板５対向する一端に連設された第５底板、１３は長方形状に形成され第５底板１２の第４底板６と対向する一端に連設された第６底板、１２ａ，１２ａ´は六角形状に形成され第５側板１２の対向する両端に連設される第５側板、１３ａ，１３ａ´は六角形状に形成され第６側板１３の対向する両端に連設される第６側板、１４は第１底板３及至第６底板１３からなる底板部である。
【００３３】
次に、実施の形態３の折り畳み容器の作製について説明する。
図９は組立後の折り畳み容器の折り畳み過程を示す斜視図であり、図１０は折り畳み過程が終了した折り畳み容器の斜視図である。
図９及び図１０において、２は前底板、２ａ´は前側板、４は第２底板、５は第３底板、５ａは第３側板、６は第４底板、６ａ，６ａ´は第４側板、７は後底板、１１は実施の形態３における折り畳み容器、１２は第５底板、１３は第６底板、１２ａ，１２ａ´は第５側板、１３ａ，１３ａ´は第６側板でありこれらは図８と同様であるため同一の符号をつけて説明を省略する。
ここで、実施の形態３が実施の形態１と異なる点は、ｎ及びｘの数値は６とし、折り畳み容器は六角柱状に組み立てられる点であり、折り畳み容器１１は図９に示すように、実施の形態１と同様の方法で折り畳まれ図１０のように六角柱状に形成されている点である。
【００３４】
以上のように、実施の形態３の折り畳み容器は構成されているので、実施の形態１又は２に記載の作用に加え、以下のような作用が得られる。
（１）折り畳んだ状態が六角柱状であり広げると略箱型の収納空間を有するため、デザイン性に優れる。
（２）プレゼント等の贈答品として用いる際、開封時に被収納物が第１〜６底板に重なって被覆されており被収納物がすぐには現れないため、プレゼントの受取者に意外性及び期待感を与えることができる。
【００３５】
（実施の形態４）
図１１は本発明の実施の形態４における折り畳み容器の組立前の平面図である。
図１１において、１５´は厚紙や合成樹脂シート等からなる実施の形態４における折り畳み容器１５用のシート、１６は三角形状に形成され後述する第１角錐用底板の側辺に連設された角錐用前底板、１７は三角形状に形成された第１角錐用底板、１８は三角形状に形成され第１角錐用底板１７の角錐前用前底板１６と対向する側辺に連設された第２角錐用底板、１９は三角形状に形成され第２角錐用底板１８の第１角錐用底板１７と対向する側辺に連設された第３角錐用底板、２０は三角形状に形成され第３角錐用底板１９の第２角錐用底板１８と対向する側辺に連設された第４角錐用底板、２１は三角形状に形成され第４角錐用底板２０の第３角錐用底板１９と対向する側辺に連設された角錐用後底板、２２は第１角錐用底板１７、第２角錐用底板１８、第３角錐用底板１９、第４角錐用底板２０からなる角錐用底板部である。また、１６ａは角錐用前底板１６の底辺を一辺として方形状に形成され角錐用前底板１６の底辺に連設された角錐用前側板、１７ａは同様に形成され第１角錐用底板１７の底辺に連設された第１角錐用側板、１８ａは同様に形成され第２角錐用底板１８の底辺に連設された第２角錐用側板、１９ａは同様に形成され第３角錐用底板１９の底辺に連設された第３角錐用側板、２０ａは同様に形成され第４角錐用底板２０の底辺に連設された第４角錐用側板、２１ａは同様に形成され角錐用後底板２１の底辺に連設される角錐用後側板である。また、１６ｄ，１７ｄ，１８ｄ，１９ｄ，２０ｄ，２１ｄは角錐用前底板１６，第１角錐用底板１７，第２角錐用底板１８，第３角錐用底板１９，第４角錐用底板２０，角錐用後底板２１の側辺の長さ、１６ｄ´，１７ｄ´，１８ｄ´，１９ｄ´，２０ｄ´，２１ｄ´は角錐用前底板１６，第１角錐用底板１７，第２角錐用底板１８，第３角錐用底板１９，第４角錐用底板２０，角錐用後底板２１の底辺の長さである。
【００３６】
次に、実施の形態４の折り畳み容器の作製について説明する。
図１２は折り畳み容器の組立後の斜視図であり、図１３は折り畳み過程が終了した折り畳み容器の斜視図である。
図１２及び図１３において、図１１で説明したのと同一のものは同一の符号を付けて説明を省略する。
なお、実施の形態４においては、折り畳み容器１５の第２角錐用底板１８の側辺の長さ１８ｄを、第１角錐用底板１７の側辺の長さ１７ｄより第１角錐用側板１７ａの厚みだけ長く、同様に第３角錐用底板１９の側辺の長さ１９ｄを第１角錐用底板１７の側辺の長さ１７ｄより第１角錐用側板１７ａと第２角錐用側板１８ａの厚みの和だけ長く、同様に第４角錐用底板２０の側辺の長さ２０ｄを第１角錐用底板１７の側辺の長さ１７ｄより第１角錐用側板１７ａと第２角錐用側板１８ａと第３角錐用側板１９ａの厚みの和だけ長く形成されている。また、折り畳み容器１５の第４角錐用底板２０の奥行き方向の長さ２０ｄ´を、内側に当接する角錐用前側板１６の奥行き方向の長さ１６ｄ´より第４角錐用底板２０に連接する第３角錐用底板１９及び角錐用後側板２１の厚みだけ長く形成されており、これにより、スムーズに内側の各角錐用底板を内側に折り込むことができる。
【００３７】
以上のように構成された実施の形態４の折り畳み容器の組み立て方法について図１１及至図１３を参照しながら以下に説明する。
図１１に示す状態から、角錐用前底板１６、第１角錐用底板１７、第２角錐用底板１８、第３角錐用底板１９、第４角錐用底板２０、角錐用後底板２１に対し各角錐用側板を垂直に折り込む。次いで、角錐用前底板１６を第１角錐用底板１７に対し垂直に折り込み、同時に角錐用前側板１６ａを第１角錐用側板１７ａの内側へと重合させ必要に応じて糊等の接着手段で接着させる。次いで、角錐用後底板２１を第４角錐用底板２０に対し垂直に折り込み、同時に角錐用後側板２１ａを第４角錐用側板２０ａの内側へと重合させ必要に応じて糊等の接着手段で接着させる。これによって、図１２に示すように、第１角錐用底板１７、第２角錐用底板１８、第３角錐用底板１９、第４角錐用底板２０から形成される角錐用底板部２２と、第１角錐用側板１７ａ、第２角錐用側板１８ａ、第３角錐用側板１９ａ、第４角錐用側板２０ａ、さらには角錐用前底板１６と角錐用後底板２１から形成される側壁によって略三角形箱型の折り畳み容器１５が形成される。
【００３８】
次に、実施の形態４の折り畳み容器の折り畳み及び開封方法について図１２又は図１３を参照しながら以下に説明する。
図１２に示す状態から、第１角錐用底板１７を第２角錐用底板１８に対し垂直に折り込み、同時に第１角錐用側板１７ａを第２角錐用側板１８ａの内側へと重合させる。次いで、第２角錐用底板１８を第３角錐用底板１９に対し垂直に折り込み、第２角錐用側板１８ａを第３角錐用側板１９ａの内側へと重合させる。次いで、第３角錐用底板１９を第４角錐用底板２０に対し垂直に折り込み、第３角錐用側板１９ａを第４角錐用側板２０ａの内側へと、また、第１角錐用底板１７を角錐用後底板２１の内側へと重合させる。これによって、図１３に示すように、実施の形態４の折り畳み容器が折り畳まれた状態となる。
また、折り畳み容器を開封する場合は、図１３に示すように、第１角錐用底板１７と角錐用後底板２１の重合部分を開き、第３角錐用底板１９と第４角錐用底板２０を水平にし、以下は同様に第２角錐用底板１８と第３角錐用底板１９を水平にし、第１角錐用底板１７と第２角錐用底板１８を水平にすることによって、図１２に示すような開封状態となる。
【００３９】
次に、実施の形態４の折り畳み容器を用いて被収納物を収納する際の使用方法について説明する。
被収納物は、折り畳み容器１５の第１角錐用底板１７付近に設置され、前述の方法で折り畳み容器１５を折り畳むことによって収納される。また、収納されている被収納物を取り出す際は、前述の方法で折り畳み容器１５を開封することによって被収納物を露出させ、折り畳み容器１５の第１角錐用底板１７、第２角錐用底板１８、第３角錐用底板１９、第４角錐用底板２０から形成される角錐用底板部２２と角錐用前底板１６、角錐用後底板２１と第１角錐用側板１７ａ、第２角錐用側板１８ａ、第３角錐用側板１９ａ、第４角錐用側板２０ａから形成される側壁によって略三角形箱型に形成される折り畳み容器１５の全体に広げることによって、被収納物がお菓子等分散しやすいものの場合でも、そのままお菓子の取り皿として使用することができる。使用後は前述の方法で折り畳み容器１５を折り畳み保管、又は、ゴミとして廃棄される。
【００４０】
以上のように、実施の形態４の折り畳み容器は構成されているので、以下のような作用が得られる。
（１）角錐用底板を連設する折り目を谷折りして４角錐に折り畳まれるため、被収納物を折り畳み容器に収納している時はコンパクトで保管場所をとらず運搬も容易に行うことができる。
（２）角錐用底板部、第１〜４角錐用側板、角錐用前底板及び角錐用後底板により折り畳み容器が略三角形箱型に形成されるので、被収納物の出し入れを容易に行うことができる。
（３）折り畳み容器が開封時に略三角形箱型に形成されるので、被収納物を開口の大きい別容器等に移し替える必要がない。
（４）使用後に残った被収納物を収納したまま折り畳むことができるため、小さくコンパクト化でき、保管に場所をとらず、また容易に廃却することができる。（５）運搬、開封及び収納が容易であるため、旅先等での繰り返しの使用や持ち返り及び廃却を容易に行うことができる。
（６）角錐用底板部の折り目を折り畳むことによって第１角錐用側板、第２角錐用側板、第３角錐用側板、最後に第３角錐用側板の表面と第４角錐用側板の裏面が重合しており重合が密で開き難く折り畳むだけで折り畳み容器の封止係止めをすることができるので、別途封止手段や係止手段を必要とせず低価格で量産できる。
（７）角錐用前底板と第１角錐用底板及び第１角錐用側板で囲まれた付近に収納された被収納物は、角錐用底板部の折り目を折り畳むことによって第２角錐用底板及び第２角錐用側板、第３角錐用底板及び第３角錐用側板、第４角錐用底板及び第４角錐用側板に幾重にも囲まれるため、折り畳み後被収納物は折り畳み容器の外に漏れることがなく堅固に収納することができ、収納性に優れる。
（８）被収納物が粒子状のものであり補充等してその量が開封時よりも多くなってても、角錐用前底板及び角錐用後底板の両側から折り畳み端部間を衝合させることで収納容積が２倍になるため、収納性に優れる。
（９）嵌合構造などの複雑な形状を伴わずに折り畳むので、折り畳み容器を壊さずに開封作業及び収納作業を容易に行うことができ作業性に優れる。
（１０）折り畳んだ状態が多角錐状であり広げると略三角形箱型の収納空間を有するため、デザイン性に優れる。
（１１）プレゼント等の贈答品として用いる際、開封時に被収納物が第１〜４角錐底板に重なって被覆されており被収納物がすぐには現れないため、プレゼントの受取者に意外性及び期待感を与えることができる。
（１２）折り畳み容器が４角錐に形成されることで折り畳み容器が転がりにくくなるため、安定性が増し商品の陳列時の作業性に優れる。
（１３）折り畳み容器が４角錐に形成されることで折り畳み容器を容易に重ねることができるため、運搬性及び保管性に優れる。
（１４）折り畳み容器が４角錐に形成されることで形状が複雑にならないため、折り畳み容器を容易に製造でき生産性に優れる。
【００４１】
【発明の効果】
以上のように、本発明の折り畳みシート及びそれを用いた折り畳み容器によれば、以下の優れた効果が得られる。
請求項１に記載の折り畳みシートによれば、以下の優れた効果が得られる。
（１）底板を連設する折り目を谷折りして中空のｘ角柱状（但し、ｘは３≦ｘ≦（ｎ＋２）の自然数）の形状に折り畳まれるため、被収納物を折り畳みシートに収納している時はコンパクトで保管場所をとらず運搬が容易な折り畳みシートを提供することができる。
（２）底板部、第１〜ｎ側板、前底板及び後底板により折り畳みシートが略箱型に形成されるので、被収納物の出し入れが容易な折り畳みシートを提供することができる。
（３）折り畳みシートが開封時に略箱型に形成されるので、被収納物を開口の大きい別容器等に移し替える必要がなく、省資源性に優れた折り畳みシートを提供することができる。
（４）使用後に残った被収納物を収納したまま折り畳むことができるため、小さくコンパクト化でき、保管に場所をとらず、また容易に廃却することができる折り畳みシートを提供することができる。
（５）運搬、開封及び収納が容易であるため、旅先等での繰り返しの使用や持ち返り及び廃却を容易に行うことができる折り畳みシートを提供することができる。
（６）底板部の折り目を折り畳むことによって第１側板、第２側板、第３側板、最後に第（ｎ−１）側板の表面と第ｎ側板の裏面が重合しており重合が密で開き難く折り畳むだけで折り畳みシートの封止し係止めをすることができるので、別途封止手段や係止手段を必要とせず低価格で量産できる折り畳みシートを提供することができる。
（７）前底板と第１底板及び第１側板で囲まれた付近に収納された被収納物は、底板部の折り目を折り畳むことによって第２底板及び第２側板、第３底板及び第３側板、第ｎ底板及び第ｎ側板に幾重にも囲まれるため、折り畳み後被収納物は折り畳みシートの外に漏れることがなく堅固に収納することができ、収納性に優れた折り畳みシートを提供することができる。
（８）被収納物が粒子状のものであり補充等してその量が開封時よりも多くなってても、前底板及び後底板の両側から折り畳み端部間を衝合させることで収納容積が２倍になるため、収納性に優れた折り畳みシートを提供することができる。
（９）嵌合構造などの複雑な形状を伴わずに折り畳むので、折り畳みシートを壊さずに開封作業及び収納作業を容易に行うことができ作業性に優れた折り畳みシートを提供することができる。
（１０）折り畳んだ状態が多角柱状であり広げると略箱型の収納空間を有するため、デザイン性に優れた折り畳みシートを提供することができる。
（１１）プレゼント等の贈答品として用いる際、開封時に被収納物が第１〜ｎ底板に重なって被覆されており被収納物がすぐには現れないため、プレゼントの受取者に意外性及び期待感を与えることができる折り畳みシートを提供することができる。
【００４２】
請求項２に記載の発明によれば、請求項１に記載の効果に加え、以下の優れた効果が得られる。
（１）第２〜ｎ底板の側板方向の長さを長く又は短くすることで、折り畳みシートが厚手の紙等や硬質素材で形成されていても形を乱すことなくスムーズに第１底板側から各側板を重合させ折り畳むことができるため、折り畳み時の作業性及び運用性に優れた折り畳みシートを提供することができる。
（２）第１〜ｎ底板の奥行き方向の長さを長く又は短くすることで、折り畳みシートが厚手の紙等や硬質素材で形成されていても形を乱すことなくスムーズに第１底板側から各底板を重合させ折り畳むことができるため、折り畳み時の作業性及び運用性に優れた折り畳みシートを提供することができる。
【００４３】
請求項３に記載の発明によれば、請求項１又は２に記載の効果に加え、以下の優れた効果が得られる。
（１）開封作業時及び収納作業時に、被収納物が中敷によって被覆されているため、被収納物が折り畳みシート外に洩れることを防止し衛生的に優れた折り畳みシートを提供することができる。
【００４４】
請求項４に記載の発明によれば、請求項１及至３に記載の効果に加え、以下の優れた効果が得られる。
（１）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れた折り畳みシートを提供することができる。
（２）自由端の長さが前記ｘ角形状に形成された前記前側板、前記後側板及び前記第１〜ｎ側板の折り目に垂直な方向の長さの２倍以上に形成されており、開封時に、中敷を第１〜ｎ側板、前側板及び後側板の両面に当接させることができるため、中敷が被収納物を被覆して使用時邪魔になることなく出し入れ等の作業が容易となり作業性に優れるとともに、各側板間の隙間を無くし粒子状の被収納物が洩れることを防止し機能性に優れ、さらに、各側板の被収納物による汚染や劣化を防止し衛生的であるとともに長期間の折り畳みシートの使用を可能とし経済的に優れた折り畳みシートを提供することができる。
（３）中敷が各側板を一体に覆い補強材の役目をなすので、各側板がバラバラに倒れたりせず容体としての機械的強度に優れた折り畳みシートを提供することができる。
【００４５】
請求項５に記載の発明によれば、請求項１及至４に記載の効果に加え、以下の優れた効果が得られる。
（１）折り畳みシートが折り込まれて４〜８角柱に形成されることで折り畳みシートが転がりにくくなるため、安定性が増し商品の陳列時の作業性に優れた折り畳みシートを提供することができる。
（２）折り畳みシートが折り込まれて４〜８角柱に形成されることで折り畳みシートを容易に重ねることができるため、運搬性及び保管性に優れた折り畳みシートを提供することができる。
（３）折り畳みシートが折り込まれて４〜８角柱に形成されることで形状が複雑にならないため、折り畳みシートを容易に製造でき生産性に優れた折り畳みシートを提供することができる。
【００４６】
請求項６に記載の折り畳み容器によれば、以下の優れた効果が得られる。
（１）底板を連設する折り目を谷折りして中空のｘ角柱状（但し、ｘは３≦ｘ≦（ｎ＋２）の自然数）の形状に折り畳まれるため、被収納物を折り畳み容器に収納している時はコンパクトで保管場所をとらず運搬が容易な折り畳み容器を提供することができる。
（２）底板部、第１〜ｎ側板、前底板及び後底板により折り畳み容器が略箱型に形成されるので、被収納物の出し入れが容易な折り畳み容器を提供することができる。
（３）折り畳み容器が開封時に略箱型に形成されるので、被収納物を開口の大きい別容器等に移し替える必要がなく、省資源性に優れた折り畳み容器を提供することができる。
（４）使用後に残った被収納物を収納したまま折り畳むことができるため、小さくコンパクト化でき、保管に場所をとらず、また容易に廃却することができる折り畳み容器を提供することができる。
（５）運搬、開封及び収納が容易であるため、旅先等での繰り返しの使用や持ち返り及び廃却を容易に行うことができる折り畳み容器を提供することができる。
（６）底板部の折り目を折り畳むことによって第１側板、第２側板、第３側板、最後に第（ｎ−１）側板の表面と第ｎ側板の裏面が重合しており重合が密で開き難く折り畳むだけで折り畳み容器の封止し係止めをすることができるので、別途封止手段や係止手段を必要とせず低価格で量産できる折り畳み容器を提供することができる。
（７）前底板と第１底板及び第１側板で囲まれた付近に収納された被収納物は、底板部の折り目を折り畳むことによって第２底板及び第２側板、第３底板及び第３側板、第ｎ底板及び第ｎ側板に幾重にも囲まれるため、折り畳み後被収納物は折り畳み容器の外に漏れることがなく堅固に収納することができ、収納性に優れた折り畳み容器を提供することができる。
（８）被収納物が粒子状のものであり補充等してその量が開封時よりも多くなってても、前底板及び後底板の両側から折り畳み端部間を衝合させることで収納容積が２倍になるため、収納性に優れた折り畳み容器を提供することができる。
（９）嵌合構造などの複雑な形状を伴わずに折り畳むので、折り畳み容器を壊さずに開封作業及び収納作業を容易に行うことができ作業性に優れた折り畳み容器を提供することができる。
（１０）折り畳んだ状態が多角柱状であり広げると略箱型の収納空間を有するため、デザイン性に優れた折り畳み容器を提供することができる。
（１１）プレゼント等の贈答品として用いる際、開封時に被収納物が第１〜ｎ底板に重なって被覆されており被収納物がすぐには現れないため、プレゼントの受取者に意外性及び期待感を与えることができる折り畳み容器を提供することができる。
（１２）第２〜ｎ底板の側板方向の長さを長く又は短くすることで、折り畳み容器が厚手の紙等や硬質素材で形成されていても形を乱すことなくスムーズに第１底板側から各側板を重合させ折り畳むことができるため、折り畳み時の作業性及び運用性に優れた折り畳み容器を提供することができる。
（１３）第１〜ｎ底板の奥行き方向の長さを長く又は短くすることで、折り畳み容器が厚手の紙等や硬質素材で形成されていても形を乱すことなくスムーズに第１底板側から各底板を重合させ折り畳むことができるため、折り畳み時の作業性及び運用性に優れた折り畳み容器を提供することができる。
（１４）開封作業時及び収納作業時に、被収納物が中敷によって被覆されているため、被収納物が折り畳み容器外に洩れることを防止し衛生的に優れた折り畳み容器を提供することができる。
（１５）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れた折り畳み容器を提供することができる。
（１６）自由端の長さが前記ｘ角形状に形成された前記前側板、前記後側板及び前記第１〜ｎ側板の折り目に垂直な方向の長さの２倍以上に形成されており、開封時に、中敷を第１〜ｎ側板、前側板及び後側板の両面に当接させることができるため、中敷が被収納物を被覆して使用時邪魔になることなく出し入れ等の作業が容易となり作業性に優れるとともに、各側板間の隙間を無くし粒子状の被収納物が洩れることを防止し機能性に優れ、さらに、各側板の被収納物による汚染や劣化を防止し衛生的であるとともに長期間の折り畳み容器の使用を可能とし経済的に優れた折り畳み容器を提供することができる。
（１７）中敷が各側板を一体に覆い補強材の役目をなすので、各側板がバラバラに倒れたりせず容体としての機械的強度に優れた折り畳み容器を提供することができる。
（１８）折り畳み容器が折り込まれて４〜８角柱に形成されることで折り畳み容器が転がりにくくなるため、安定性が増し商品の陳列時の作業性に優れた折り畳み容器を提供することができる。
（１９）折り畳み容器が折り込まれて４〜８角柱に形成されることで折り畳み容器を容易に重ねることができるため、運搬性及び保管性に優れた折り畳み容器を提供することができる。
（２０）折り畳み容器が折り込まれて４〜８角柱に形成されることで形状が複雑にならないため、折り畳み容器を容易に製造でき生産性に優れた折り畳み容器を提供することができる。
【００４７】
請求項７に記載の折り畳みシートによれば、以下の優れた効果が得られる。
（１）角錐用底板を連設する折り目を谷折りして中空のｙ角錐（但し、ｙは３≦ｙ≦（ｎ＋２）の自然数）の形状に折り畳まれるため、被収納物を折り畳みシートに収納している時はコンパクトで保管場所をとらず運搬が容易な折り畳みシートを提供することができる。
（２）角錐用底板部、第１〜ｎ角錐用側板、角錐用前底板及び角錐用後底板により折り畳みシートが略三角形箱型に形成されるので、被収納物の出し入れが容易な折り畳みシートを提供することができる。
（３）折り畳みシートが開封時に略三角形箱型に形成されるので、被収納物を開口の大きい別容器等に移し替える必要がなく、省資源性に優れた折り畳みシートを提供することができる。
（４）使用後に残った被収納物を収納したまま折り畳むことができるため、小さくコンパクト化でき、保管に場所をとらず、また容易に廃却することができる折り畳みシートを提供することができる。
（５）運搬、開封及び収納が容易であるため、旅先等での繰り返しの使用や持ち返り及び廃却を容易に行うことができる折り畳みシートを提供することができる。
（６）角錐用底板部の折り目を折り畳むことによって第１角錐用側板、第２角錐用側板、第３角錐用側板、最後に第（ｎ−１）角錐用側板の表面と第ｎ角錐用側板の裏面が重合しており重合が密で開き難く折り畳むだけで折り畳みシートの封止し係止めをすることができるので、別途封止手段や係止手段を必要とせず低価格で量産できる折り畳みシートを提供することができる。
（７）角錐用前底板と第１角錐用底板及び第１角錐用側板で囲まれた付近に収納された被収納物は、角錐用底板部の折り目を折り畳むことによって第２角錐用底板及び第２角錐用側板、第３角錐用底板及び第３角錐用側板、第ｎ角錐用底板及び第ｎ角錐用側板に幾重にも囲まれるため、折り畳み後被収納物は折り畳みシートの外に漏れることがなく堅固に収納することができ、収納性に優れた折り畳みシートを提供することができる。
（８）被収納物が粒子状のものであり補充等してその量が開封時よりも多くなってても、角錐用前底板及び角錐用後底板の両側から折り畳み端部間を衝合させることで収納容積が２倍になるため、収納性に優れた折り畳みシートを提供することができる。
（９）嵌合構造などの複雑な形状を伴わずに折り畳むので、折り畳みシートを壊さずに開封作業及び収納作業を容易に行うことができ作業性に優れた折り畳みシートを提供することができる。
（１０）折り畳んだ状態が多角錐状であり広げると略三角形箱型の収納空間を有するため、デザイン性に優れた折り畳みシートを提供することができる。
（１１）プレゼント等の贈答品として用いる際、開封時に被収納物が第１〜ｎ角錐用底板に重なって被覆されており被収納物がすぐには現れないため、プレゼントの受取者に意外性及び期待感を与えることができる折り畳みシートを提供することができる。
【００４８】
請求項８に記載の発明によれば、請求項７に記載の効果に加え、以下の優れた効果が得られる。
（１）第２〜ｎ角錐用底板の側辺の長さを長く又は短くすることで、折り畳みシートが厚手の紙等や硬質素材で形成されていても形を乱すことなくスムーズに第１角錐用底板側から各角錐用側板を重合させ折り畳むことができるため、折り畳み時の作業性及び運用性に優れた折り畳みシートを提供することができる。
（２）第１〜ｎ角錐用底板の底辺の長さを長く又は短くすることで、折り畳みシートが厚手の紙等や硬質素材で形成されていても形を乱すことなくスムーズに第１角錐用底板側から各角錐用底板を重合させ折り畳むことができるため、折り畳み時の作業性及び運用性に優れた折り畳みシートを提供することができる。
【００４９】
請求項９に記載の発明によれば、請求項７又は８に記載の効果に加え、以下の優れた効果が得られる。
（１）開封作業時及び収納作業時に、被収納物が中敷によって被覆されているため、被収納物が折り畳みシート外に洩れることを防止し衛生的に優れた折り畳みシートを提供することができる。
（２）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れた折り畳みシートを提供することができる。
（３）自由端の長さがｙ角形状に形成された角錐用前側板、角錐用後側板又は第１〜ｎ角錐用側板の折り目に垂直な方向の長さの２倍以上に形成されることで開封時に、中敷を第１〜ｎ角錐用側板、角錐用前側板及び角錐用後側板の両面に当接させることができるため、中敷が被収納物を被覆して使用時邪魔になることなく出し入れ等の作業が容易となり作業性に優れるとともに、各角錐用側板間の隙間を無くし特に粒子状の被収納物が洩れることを防止し機能性に優れ、さらに、各角錐用側板の被収納物による汚染や劣化を防止し衛生的であるとともに長期間の折り畳みシートの使用を可能とし経済的に優れた折り畳みシートを提供することができる。
（４）中敷が各角錐用側板を一体に覆い補強材の役目をなすので、各角錐用側板がバラバラに倒れたりせず容体としての機械的強度に優れた折り畳みシートを提供することができる。
【００５０】
請求項１０に記載の発明によれば、請求項７及至９に記載の効果に加え、以下の優れた効果が得られる。
（１）折り畳みシートが４〜８角錐に形成されることで折り畳みシートが転がりにくくなるため、安定性が増し商品の陳列時の作業性に優れた折り畳みシートを提供することができる。
（２）折り畳みシートが４〜８角錐に形成されることで折り畳みシートを容易に重ねることができるため、運搬性及び保管性に優れた折り畳みシートを提供することができる。
（３）折り畳みシートが４〜８角錐に形成されることで形状が複雑にならないため、折り畳みシートを容易に製造でき生産性に優れた折り畳みシートを提供することができる。
【００５１】
請求項１１に記載の折り畳み容器によれば、以下の優れた効果が得られる。
（１）角錐用底板を連設する折り目を谷折りして中空のｙ角錐（但し、ｙは３≦ｙ≦（ｎ＋２）の自然数）の形状に折り畳まれるため、被収納物を折り畳み容器に収納している時はコンパクトで保管場所をとらず運搬が容易な折り畳み容器を提供することができる。
（２）角錐用底板部、第１〜ｎ角錐用側板、角錐用前底板及び角錐用後底板により折り畳み容器が略三角形箱型に形成されるので、被収納物の出し入れが容易な折り畳み容器を提供することができる。
（３）折り畳み容器が開封時に略三角形箱型に形成されるので、被収納物を開口の大きい別容器等に移し替える必要がなく、省資源性に優れた折り畳み容器を提供することができる。
（４）使用後に残った被収納物を収納したまま折り畳むことができるため、小さくコンパクト化でき、保管に場所をとらず、また容易に廃却することができる折り畳み容器を提供することができる。
（５）運搬、開封及び収納が容易であるため、旅先等での繰り返しの使用や持ち返り及び廃却を容易に行うことができる折り畳み容器を提供することができる。
（６）角錐用底板部の折り目を折り畳むことによって第１角錐用側板、第２角錐用側板、第３角錐用側板、最後に第（ｎ−１）角錐用側板の表面と第ｎ角錐用側板の裏面が重合しており重合が密で開き難く折り畳むだけで折り畳み容器の封止し係止めをすることができるので、別途封止手段や係止手段を必要とせず低価格で量産できる折り畳み容器を提供することができる。
（７）角錐用前底板と第１角錐用底板及び第１角錐用側板で囲まれた付近に収納された被収納物は、角錐用底板部の折り目を折り畳むことによって第２角錐用底板及び第２角錐用側板、第３角錐用底板及び第３角錐用側板、第ｎ角錐用底板及び第ｎ角錐用側板に幾重にも囲まれるため、折り畳み後被収納物は折り畳み容器の外に漏れることがなく堅固に収納することができ、収納性に優れた折り畳み容器を提供することができる。
（８）被収納物が粒子状のものであり補充等してその量が開封時よりも多くなってても、角錐用前底板及び角錐用後底板の両側から折り畳み端部間を衝合させることで収納容積が２倍になるため、収納性に優れた折り畳み容器を提供することができる。
（９）嵌合構造などの複雑な形状を伴わずに折り畳むので、折り畳み容器を壊さずに開封作業及び収納作業を容易に行うことができ作業性に優れた折り畳み容器を提供することができる。
（１０）折り畳んだ状態が多角錐状であり広げると略三角形箱型の収納空間を有するため、デザイン性に優れた折り畳み容器を提供することができる。
（１１）プレゼント等の贈答品として用いる際、開封時に被収納物が第１〜ｎ角錐用底板に重なって被覆されており被収納物がすぐには現れないため、プレゼントの受取者に意外性及び期待感を与えることができる折り畳み容器を提供することができる。
（１２）第２〜ｎ角錐用底板の側辺の長さを長く又は短くすることで、折り畳み容器が厚手の紙等や硬質素材で形成されていても形を乱すことなくスムーズに第１角錐用底板側から各角錐用側板を重合させ折り畳むことができるため、折り畳み時の作業性及び運用性に優れた折り畳み容器を提供することができる。
（１３）第１〜ｎ角錐用底板の底辺の長さを長く又は短くすることで、折り畳み容器が厚手の紙等や硬質素材で形成されていても形を乱すことなくスムーズに第１角錐用底板側から各角錐用底板を重合させ折り畳むことができるため、折り畳み時の作業性及び運用性に優れた折り畳み容器を提供することができる。
（１４）開封作業時及び収納作業時に、被収納物が中敷によって被覆されているため、被収納物が折り畳み容器外に洩れることを防止し衛生的に優れた折り畳み容器を提供することができる。
（１５）被収納物が手で直接触ると汚染される恐れがある場合でも、中敷の自由端で被収納物を上部から被覆し中敷の上から収納しやすい形状に手等で整え折り畳むことによって手等が汚染されないため、作業性、衛生的に優れた折り畳み容器を提供することができる。
（１６）自由端の長さがｙ角形状に形成された角錐用前側板、角錐用後側板又は第１〜ｎ角錐用側板の折り目に垂直な方向の長さの２倍以上に形成されることで開封時に、中敷を第１〜ｎ角錐用側板、角錐用前側板及び角錐用後側板の両面に当接させることができるため、中敷が被収納物を被覆して使用時邪魔になることなく出し入れ等の作業が容易となり作業性に優れるとともに、各角錐用側板間の隙間を無くし特に粒子状の被収納物が洩れることを防止し機能性に優れ、さらに、各角錐用側板の被収納物による汚染や劣化を防止し衛生的であるとともに長期間の折り畳み容器の使用を可能とし経済的に優れた折り畳み容器を提供することができる。
（１７）中敷が各角錐用側板を一体に覆い補強材の役目をなすので、各角錐用側板がバラバラに倒れたりせず容体としての機械的強度に優れた折り畳み容器を提供することができる。
（１８）折り畳み容器が４〜８角錐に形成されることで折り畳み容器が転がりにくくなるため、安定性が増し商品の陳列時の作業性に優れた折り畳み容器を提供することができる。
（１９）折り畳み容器が４〜８角錐に形成されることで折り畳み容器を容易に重ねることができるため、運搬性及び保管性に優れた折り畳み容器を提供することができる。
（２０）折り畳み容器が４〜８角錐に形成されることで形状が複雑にならないため、折り畳み容器を容易に製造でき生産性に優れた折り畳み容器を提供することができる。
【図面の簡単な説明】
【図１】実施の形態１における長方体状の折り畳み容器の組立前のシートの平面図
【図２】実施の形態１における折り畳み容器の組立後の斜視図
【図３】組立後の折り畳み容器の折り畳み過程を示す斜視図
【図４】組立後の折り畳み容器の折り畳み過程を示す斜視図
【図５】組立後の折り畳み容器の折り畳み過程を示す斜視図
【図６】折り畳み過程が終了した折り畳み容器の斜視図
【図７】（ａ）実施の形態２における中敷を有する折り畳み容器の開封時の斜視図
（ｂ）中敷を側板の外側に折り込んだ折り畳み容器の斜視図
【図８】実施の形態３における折り畳み容器の組立前のシートの平面図
【図９】組立後の折り畳み容器の折り畳み過程を示す斜視図
【図１０】折り畳み過程が終了した折り畳み容器の斜視図
【図１１】実施の形態４における折り畳み容器の組立前のシートの平面図
【図１２】折り畳み容器の組立後の斜視図
【図１３】折り畳み過程が終了した折り畳み容器の斜視図
【符号の説明】
１  実施の形態１における折り畳み容器
１´  折り畳み容器用シート
２  前底板
２ａ，２ａ´  前側板
２ｂ，２ｂ´  折り目
２ｄ  前底板２の側板方向の長さ
２ｄ´  前底板２の奥行き方向の長さ
３  第１底板
３ａ，３ａ´  第１側板
３ｂ，３ｂ´  折り目
３ｄ  第１底板３の側板方向の長さ
３ｄ´  第１底板３の奥行き方向の長さ
４  第２底板
４ａ，４ａ´  第２側板
４ｂ，４ｂ´  折り目
４ｄ  第２底板４の側板方向の長さ
４ｄ´  第２底板４の奥行き方向の長さ
５  第３底板
５ａ，５ａ´  第３側板
５ｂ，５ｂ´  折り目
５ｄ  第３底板５の側板方向の長さ
５ｄ´  第３底板５の奥行き方向の長さ
６  第４底板
６ａ，６ａ´  第４側板
６ｂ，６ｂ´  折り目
６ｄ  第４底板６の側板方向の長さ
６ｄ´  第４底板６の奥行き方向の長さ
７  後底板
７ａ，７ａ´  後側板
７ｂ，７ｂ´  折り目
７ｄ  後底板７の側板方向の長さ
７ｄ´  後底板７の奥行き方向の長さ
８  底板部
９  実施の形態２における折り畳み容器
１０，１０´  中敷
１０ａ，１０ａ´  固定部
１０ｂ，１０ｂ´  自由端
１１  実施の形態３における折り畳み容器
１１´  折り畳み容器用シート
１２  第５底板
１２ａ，１２ａ´  第５側板
１３  第６底板
１３ａ，１３ａ´  第６側板
１４  底板部
１５  実施の形態４における折り畳み容器
１５´  折り畳み容器用シート
１６  角錐用前底板
１６ａ  角錐用前側板
１６ｄ  角錐用前底板１６の側辺の長さ
１６ｄ´  角錐用前底板１６の底辺の長さ
１７  第１角錐用底板
１７ａ  第１角錐用側板
１７ｄ  第１角錐用底板１７の側辺の長さ
１７ｄ´  第１角錐用底板１７の底辺の長さ
１８  第２角錐用底板
１８ａ  第２角錐用側板
１８ｄ  第２角錐用底板１８の側辺の長さ
１８ｄ´  第２角錐用底板１８の底辺の長さ
１９  第３角錐用底板
１９ａ  第３角錐用側板
１９ｄ  第３角錐用底板１９の側辺の長さ
１９ｄ´  第３角錐用底板１９の底辺の長さ
２０  第４角錐用底板
２０ａ  第４角錐用側板
２０ｄ  第４角錐用底板２０の側辺の長さ
２０ｄ´  第４角錐用底板２０の底辺の長さ
２１  角錐用後底板
２１ａ  角錐用後側板
２１ｄ  角錐用後底板２１の側辺の長さ
２１ｄ´  角錐用後底板２１の底辺の長さ
２２  角錐用底板部
Ａ  折り目
Ｂ  折り目
Ｃ  折り目
Ｄ  折り目
Ｅ  折り目
【図１】
2004210346.tif 000003
【図２】
2004210346.tif 000004
【図３】
2004210346.tif 000005
【図４】
2004210346.tif 000006
【図５】
2004210346.tif 000007
【図６】
2004210346.tif 000008
【図７】
2004210346.tif 000009
【図８】
2004210346.tif 000010
【図９】
2004210346.tif 000011
【図１０】
2004210346.tif 000012
【図１１】
2004210346.tif 000013
【図１２】
2004210346.tif 000014
【図１３】
2004210346.tif 000015